(57)【要約】【課題】ディスクが滑らないようにでき、かつ、ディスクの振れ精度も高くできるターンテーブルを提供する。【解決手段】上面周縁部にディスク支持部２が突設されたターンテーブルであって、上記ディスク支持部２の上面に、熱可塑性エラストマーからなる弾性支持部Ｅが、０．２ｍｍ以下の厚みで設けられ、上記ディスク支持部２と一体成形されている。【選択図】図１
2005135522.tif 000002
【特許請求の範囲】
【請求項１】
上面周縁部にディスク支持部が突設されたターンテーブルであって、上記ディスク支持部の上面に、熱可塑性エラストマーからなる弾性支持部が、０．２ｍｍ以下の厚みで設けられ、上記ディスク支持部と一体成形されていることを特徴とするターンテーブル。
【請求項２】
上記弾性支持部が、周方向に等間隔で点在している請求項１記載のターンテーブル。
【請求項３】
上記熱可塑性エラストマーが、ポリスチレン系エラストマー，ポリオレフィン系エラストマーまたはポリウレタン系エラストマーである請求項１または２記載のターンテーブル。
【発明の詳細な説明】
【技術分野】
【０００１】
本発明は、ＣＤ−ＲＯＭドライブ，ＤＶＤドライブ等のスピンドルに使用されるターンテーブルに関するものである。
【背景技術】
【０００２】
ＣＤ−ＲＯＭドライブ等のスピンドルに使用されるターンテーブルは、図９に示すように、円盤状に形成されており、その上面中央には、ＣＤ−ＲＯＭ等の光ディスク２０をセンタリングする略円錐台状のディスクセンタリング部が突設され、上面周縁部には、光ディスク２０を下方から支持するディスク支持部が突設されている。上記ディスク支持部の上面は、光ディスク２０の下面との当接面となっており、この当接面の振れ精度は、光ディスク２０の振れ精度に直接影響するため、高精度に形成されている。
【０００３】
一方、光ディスク２０を情報再生記録装置で回転させる際には、光ディスク２０を上記ターンテーブル上に同軸的に載置した状態で、その上面側からクランパで押圧し、光ディスク２０を上記ターンテーブルとクランパとで挟持した状態で回転させる。
【０００４】
そして、上記回転は、情報の読み取りまたは書き込みの速度を上げるために、通常の２〜３２倍の高速回転とすることがある。しかしながら、上記ターンテーブルは、通常、硬質の樹脂または金属からなるものであるため、摩擦係数が小さく、上記高速回転をするために回転加速度が加わると、光ディスク２０がターンテーブル上で滑ることがある。このような滑りが発生すると、情報の読み取りや書き込みができなくなることがある。
【０００５】
そこで、上記滑りを防止するターンテーブルとして、図１０に示すように、上面周縁部に形成される上記ディスク支持部全体を、摩擦係数が高い保持部材で形成したものが提案されている（特許文献１参照）。なお、図１０において、１１はディスクセンタリング部である。
【特許文献１】特開平９−２８６８７６号公報（図１）
【発明の開示】
【発明が解決しようとする課題】
【０００６】
しかしながら、上記特許文献１の保持部材は低硬度であるため、上記ディスク支持部全体が低硬度となっている。このため、たとえ上記ディスク支持部の上面の振れ精度を高精度に形成したとしても、その高精度な振れ精度を発揮させることが充分にできない。しかも、上記保持部材の厚みが０．３ｍｍを上回って（特許文献１の図１より、上記保持部材の厚みは寸法ｆを上回っており、その寸法ｆは段落〔００７０〕にｆ＝０．３ｍｍと記載されている）厚く形成されているため、その保持部材が押圧された場合の変形量が大きくなる。したがって、光ディスク２０をターンテーブルとクランパとで挟持すると、光ディスク２０が安定せず、光ディスク２０を回転させた際の振れが大きくなる。このように光ディスク２０の振れが大きくなっても、上記滑りの発生と同様、情報の読み取りや書き込みができなくなることがある。
【０００７】
本発明は、このような事情に鑑みなされたもので、ディスクが滑らないようにでき、かつ、ディスクの振れ精度も高くできるターンテーブルの提供をその目的とする。
【課題を解決するための手段】
【０００８】
上記の目的を達成するため、本発明のターンテーブルは、上面周縁部にディスク支持部が突設されたターンテーブルであって、上記ディスク支持部の上面に、熱可塑性エラストマーからなる弾性支持部が、０．２ｍｍ以下の厚みで設けられ、上記ディスク支持部と一体成形されているという構成をとる。
【０００９】
すなわち、本発明のターンテーブルでは、熱可塑性エラストマーからなる弾性支持部をディスク支持部の上面に一体成形している。そして、その弾性支持部は、熱可塑性エラストマーからなるため、高い摩擦係数を有している。したがって、ディスクを回転させた際に、ディスクがターンテーブル上で滑らないようにすることができる。また、ディスク支持部の上面は、元々、ディスクの下面との当接面となっているため、振れ精度が高精度に形成されている。しかも、上記弾性支持部の厚み（本発明において、弾性支持部の「厚み」とは、上記ディスク支持部の上面からの厚みを意味する）は、０．２ｍｍ以下と薄くなっている。これらのため、ディスクをターンテーブルとクランパ等とで挟持すると、上記弾性支持部が収縮し、上記ディスク支持部の上面の高精度な振れ精度が発揮されるようになる。以上のことから、ディスクを回転させた際には、そのディスクは安定し、ディスクを回転させた際の振れは小さくなる。
【発明の効果】
【００１０】
本発明のターンテーブルによれば、ディスク支持部の上面に、熱可塑性エラストマーからなる弾性支持部が、厚み０．２ｍｍ以下に設定されて一体成形されているため、ディスクが滑らないようにすることができるとともに、ディスクの振れ精度も高くすることができる。
【００１１】
特に、上記弾性支持部が、周方向に等間隔で点在している場合には、ターンテーブルの回転軸回りの慣性モーメントを小さくすることができるため、ターンテーブルを回転させる際に要するエネルギーを少なくすることができ、また、その回転制御を容易にすることができる。
【００１２】
また、上記熱可塑性エラストマーが、ポリスチレン系エラストマー，ポリオレフィン系エラストマーまたはポリウレタン系エラストマーである場合には、上記弾性支持部の摩擦係数が、光ディスクに対して好適となり、情報の読み取りまたは書き込みが安定する。
【発明を実施するための最良の形態】
【００１３】
つぎに、本発明を図面にもとづいて詳しく説明する。
【００１４】
図１〜図３は、本発明のターンテーブルの一実施の形態を示している。このターンテーブルは、図９に示す従来のターンテーブルのディスク支持部２の上面２ａに全周にわたって、熱可塑性エラストマーからなる弾性支持部Ｅが環状に形成されたものである。その形成は、接着剤等を介するものではなく、２色成形またはインサート成形による一体成形である。しかも、その弾性支持部Ｅの厚みは、ディスク支持部２の上面２ａから０．２ｍｍ以下になるように設定されている。
【００１５】
より詳しく説明すると、上記ターンテーブルの上面中央には、略円錐台状のディスクセンタリング部１が突設されており、このディスクセンタリング部１にＣＤ−ＲＯＭ等の光ディスクの中央孔を外嵌すれば、自動的にセンタリングされるようになっている。すなわち、上記ディスクセンタリング部１の上面の周縁部は、面取りされて傾斜面１ａに形成されており、上記ディスクセンタリング部１に光ディスクを外嵌する際のガイド面となっている。また、上記ディスクセンタリング部１の中央には、上下に貫通するシャフト挿通孔３が形成されており、そのシャフト挿通孔３に、上記ターンテーブルを回転させる駆動シャフト３０（図４参照）が圧入されるようになっている。
【００１６】
また、上記ディスク支持部２は、上記ターンテーブルの上面周縁部に全周にわたって段状に盛り上げ形成（突設）されており、このディスク支持部２と上記ディスクセンタリング部１との間の円周部は、凹部４に形成されている。そして、この凹部４には、上下に貫通する貫通孔５が複数（図１，図２では、４個）等間隔で形成されている。なお、各貫通孔５は、その一部が上記ディスクセンタリング部１の外周部を切り欠くように形成されている。
【００１７】
つぎに、上記ターンテーブルの材料について説明すると、上記弾性支持部Ｅは、熱可塑性エラストマーからなるが、その熱可塑性エラストマーとしては、ポリスチレン系エラストマー，ポリオレフィン系エラストマーまたはポリウレタン系エラストマーを用いることが好ましい。これらを用いると、上記弾性支持部Ｅの摩擦係数が、光ディスクに対して好適となり、情報の読み取りまたは書き込みが安定するからである。なかでも、上記ポリスチレン系エラストマーがより好ましい。このポリスチレン系エラストマーとしては、ＳＥＢＳ（スチレン・エチレン・ブチレン・スチレン共重合体），ＳＥＰＳ（スチレン・エチレン・プロピレン・スチレン共重合体）を用いることが好ましい。
【００１８】
上記弾性支持部Ｅ以外の部分（従来のターンテーブルに相当する部分：以下「ターンテーブル本体」という）は、従来と同様であり、ポリカーボネート等の硬質樹脂からなっている。
【００１９】
そして、光ディスクを情報再生記録装置で回転させる際には、図４に示すように、光ディスク２０を上記ターンテーブル上に同軸的に載置した状態で、その上面側からクランパ４０を押圧させ、光ディスク２０を上記ターンテーブルとクランパ４０とで挟持する。この挟持状態では、上記弾性支持部Ｅが収縮して光ディスク２０の下面に当接している。この当接において、ディスク支持部２の上面２ａは、元々、光ディスク２０の下面との当接面となっているため、振れ精度が高精度に形成されており、しかも、上記弾性支持部Ｅの厚みが０．２ｍｍ以下と薄いため、その弾性支持部Ｅが収縮した際には、上記ディスク支持部２の上面２ａの高精度な振れ精度が発揮されるようになっている。
【００２０】
そして、上記挟持状態で光ディスク２０を回転させたとき、弾性支持部Ｅの高い摩擦係数により、光ディスク２０は、ターンテーブル上で滑らないようになっている。以上のことから、光ディスク２０を回転させた際には、その光ディスク２０は安定し、その振れは小さくなる。
【００２１】
つぎに、上記ターンテーブルの製法について説明すると、上記ターンテーブルは、２色成形またはインサート成形により作製される。そのうち、２色成形より作製する場合は、１次成形では、ポリカーボネート等の樹脂を射出し、ターンテーブル本体を成形する。そして、２次成形では、上記熱可塑性エラストマーを射出し、弾性支持部Ｅを一体成形する。
【００２２】
一方、インサート成形より作製する場合は、予め、ターンテーブル本体を作製しておき、それを成形空間に保持した後、型締めし、上記熱可塑性エラストマーを射出し、弾性支持部Ｅを一体成形する。または、予め、上記弾性支持部Ｅを作製しておき、その弾性支持部Ｅを成形空間に保持した後、型締めし、ポリカーボネート等の樹脂を射出し、ターンテーブル本体を一体成形する。
【００２３】
図５および図６は、本発明のターンテーブルの他の実施の形態を示している。このターンテーブルは、弾性支持部Ｅが周方向に等間隔で点在（図５では、８個）して形成され、各弾性支持部Ｅは円錐台状に形成されている。それ以外は、上記実施の形態と同様であり、同様の部分には、同じ符号を付している。
【００２４】
このように弾性支持部Ｅが周方向に等間隔で点在している場合には、ターンテーブルの回転軸回りの慣性モーメントが小さくなる。このため、ターンテーブルを回転させる際に要するエネルギーを少なくすることができ、また、その回転制御を容易にすることができる。
【００２５】
なお、図７に示すように、上記各実施の形態において、上記弾性支持部Ｅが形成されている部分に対応するディスク支持部２の上面２ａに、柱状の穴６を形成し、その穴６に弾性支持部Ｅの形成材料（熱可塑性エラストマー）を充填させるようにしてもよい。上記柱状の穴６は、図８に示すように、下面まで貫通したものでもよい。このようにすると、上記柱状の穴６の部分の弾性支持部Ｅが、光ディスクの面方向にかかる力に対して抗力を担うようになるため、光ディスク回転がより安定するようになり、その振れ精度もより向上する。さらに、弾性支持部Ｅがディスク支持部２から剥がれ難くなる。なお、図１に示すように、弾性支持部Ｅが環状である場合には、上記柱状の穴６は、周方向に等間隔で形成されることが好ましい。
【００２６】
つぎに、実施例について比較例と併せて説明する。
【実施例】
【００２７】
〔実施例１〕
下記に示すようにして、図１に示すターンテーブル（弾性支持部が環状）を作製した。
〔ターンテーブル本体の材料〕
ポリカーボネート（帝人化成社製、パンライト）を使用した。
〔弾性支持部の材料〕
ポリスチレン系エラストマー（リケンテクノス社製、レオストマー）を使用した。
〔ターンテーブルの作製〕
上記材料を用い、２色成形により、ターンテーブルを作製した。すなわち、１次成形で、ターンテーブル本体を成形し、２次成形で、弾性支持部を一体成形した。ターンテーブルは、外径３２ｍｍ、弾性支持部の幅（ディスク支持部の上面の幅）４．５ｍｍ、弾性支持部の厚み０．２ｍｍに形成した。
【００２８】
〔実施例２〕
上記実施例１と同様にして、図５に示すターンテーブル（８個の弾性支持部が周方向に等間隔で点在）を作製した。弾性支持部は、円錐台状に形成され、上面外径４．０ｍｍ、下面外径５．０ｍｍ、厚み０．２ｍｍに形成した。それ以外は、上記実施例１と同様にした。
【００２９】
〔比較例１〕
従来のターンテーブルとした。すなわち、上記実施例１，２において、弾性支持部が形成されていないものとした。それ以外は、上記実施例１と同様にした。
【００３０】
〔滑りの有無〕
このようにして得られた実施例１，２および比較例１の各ターンテーブルに対して、光ディスクの回転時の滑りの有無を調べた。これは、情報再生記録装置としてＤＶＲ−Ａ０６−Ｊ（パイオニア社製）を用い、光ディスクの回転速度を３２倍とし、情報の読み取りが正確にできたものを滑り無しと評価し、情報の読み取りができなかったものを滑り有りと評価した。その結果、実施例１，２のターンテーブルを使用すると滑りは発生しなかったが、比較例１のターンテーブルを使用すると滑りが発生した。
【図面の簡単な説明】
【００３１】
【図１】本発明のターンテーブルの一実施の形態を示す説明図である。
【図２】上記ターンテーブルを示す平面図である。
【図３】図２のＡ−Ｏ−Ａ断面図である。
【図４】光ディスクの回転状態を示す説明図である。
【図５】本発明のターンテーブルの他の実施の形態を示す平面図である。
【図６】図５のＢ−Ｏ−Ｂ断面図である。
【図７】上記ターンテーブルの弾性支持部の変形例を示す要部拡大断面図である。
【図８】上記ターンテーブルの弾性支持部の他の変形例を示す要部拡大断面図である。
【図９】従来のターンテーブルを示す断面図である。
【図１０】従来の他のターンテーブルを示す断面図である。
【符号の説明】
【００３２】
Ｅ  弾性支持部
２  ディスク支持部
【図１】
2005135522.tif 000003
【図２】
2005135522.tif 000004
【図３】
2005135522.tif 000005
【図４】
2005135522.tif 000006
【図５】
2005135522.tif 000007
【図６】
2005135522.tif 000008
【図７】
2005135522.tif 000009
【図８】
2005135522.tif 000010
【図９】
2005135522.tif 000011
【図１０】
2005135522.tif 000012